(57)【特許請求の範囲】
【請求項１】
所定のエリアに属するユーザが要求したデータを印刷する印刷装置であって、
前記所定のエリアに属するユーザを識別するユーザ識別情報と前記ユーザの携帯端末の
アドレス情報とを関連付けて記憶する記憶手段と、
前記ユーザが作成した印刷データと、該印刷データの印刷を要求したユーザのユーザ識
別情報と、を受信して印刷要求を受け付けるデータ受信手段と、
前記データ受信手段が受信した前記ユーザ識別情報が前記記憶手段に記憶された前記ユ
ーザ識別情報と一致した場合に、前記データを識別するためのデータ識別情報を生成する
データ識別情報生成手段と、
前記ユーザ識別情報に対応するアドレス情報を前記記憶手段から読み出し、このアドレス情報を用いて前記ユーザの携帯端末へ生成した前記データ識別情報を通知して印刷実行を認証するか否かを問い合わせる問合せ手段と、
前記問い合わせに対応して前記ユーザの携帯端末からデータ識別情報と印刷実行を認証
するか否かを示す回答情報とを受信する回答受信手段と、
受信した回答情報が認証を示している場合に、受信したデータ識別情報で特定される印
刷データの印刷実行を指示する印刷実行指示手段と、
を備えることを特徴とする印刷装置。
【請求項２】
前記データ受信手段は、印刷データの代わりに画像データを受信し、
前記データ識別情報生成手段は、前記データ受信手段が受信した画像データを識別する
ためのデータ識別情報を生成し、
前記問合せ手段は、前記ユーザの携帯端末へ前記データ識別情報を通知して、画像デー
タのダウンロードを認証するか否かを問い合わせ、
前記回答受信手段は、前記問い合わせに対応して前記ユーザの携帯端末からデータ識別
情報と画像データのダウンロードを認証するか否かを示す回答情報とを受信し、
画像データ出力手段は、受信した回答情報が認証を示している場合に、このダウンロー
ドが許可された画像データのダウンロード要求を受け、該画像データをダウンロードする
ことを特徴とする請求項１に記載の印刷装置。
【請求項３】
印刷データの印刷あるいは画像データのダウンロードに伴う料金の情報を示す課金情報
を生成する課金情報生成手段と、
前記課金情報生成手段が生成した課金情報を携帯端末の料金システムへ出力する課金情
報通知手段と、
をさらに備えることを特徴とする請求項１または請求項２に記載の印刷装置。
【請求項４】
前記印刷データの印刷に伴う料金分の電子マネー情報、又は前記画像データのダウンロ
ードに伴う料金分の電子マネー情報を前記携帯端末に予め補充される電子マネー情報から
減額し、電子マネー情報の取引を管理する電子マネー管理システムに前記携帯端末から減
額した電子マネー情報を出力する課金処理手段を備える、
ことを特徴とする請求項１から請求項３のいずれかの項に記載の印刷装置。
【請求項５】
前記課金処理手段は、前記印刷データの印刷に伴う料金分の電子マネー情報、又は前記
画像データのダウンロードに伴う料金分の電子マネー情報を前記携帯端末に設けられる記
憶素子の記憶する電子マネー情報から減額し、電子マネー情報の取引を管理する電子マネ
ー管理システムに前記携帯端末から減額した電子マネー情報を出力する、
ことを特徴とする請求項４に記載の印刷装置。
【請求項６】
前記印刷データの印刷に伴う料金の情報、又は前記画像データのダウンロードに伴う料
金の情報を前記携帯端末の料金システムに出力する課金情報通知手段と、
前記印刷データの印刷に伴う料金分の電子マネー情報、又は前記画像データのダウンロ
ードに伴う料金分の電子マネー情報を前記携帯端末に予め補充される電子マネー情報から
減額し、電子マネー情報の取引を管理する電子マネー管理システムに前記携帯端末から減
額した電子マネー情報を出力する課金処理手段とを備え、
前記携帯端末の料金システムに対する前記料金の情報の出力と前記電子マネー管理シス
テムに対する減額した電子マネー情報の出力とを、前記携帯端末によって選択するように
する、
ことを特徴とする請求項１または２に記載の印刷装置。
【請求項７】
前記問合せ手段は、前記印刷データの印刷に伴う料金、又は前記画像データのダウンロ
ードに伴う料金を前記携帯端末に通知して、前記印刷データの印刷実行、又は前記画像デ
ータのダウンロードを認証するか否かを問合せるようにした、
ことを特徴とする請求項３から請求項６のいずれかの項に記載の印刷装置。
【請求項８】
障害の発生を検出する障害検出手段と、
前記障害検出手段が検出した障害の発生を所定の障害発生通知先へ通知する障害通知手
段と、
をさらに備えることを特徴とする請求項１から請求項７のいずれかの項に記載の印刷装
置。
【請求項９】
前記印刷実行指示手段または前記画像データ出力手段は、受信した前記回答情報が認証
しないことを示している場合に、受信した前記データ識別情報で特定され、内部に一時的
に記憶している前記印刷データまたは前記画像データを消去する、
ことを特徴とする請求項１から請求項８のいずれかの項に記載の印刷装置。
【請求項１０】
前記ユーザ識別情報は、ユーザの用いた機器のアドレス情報、あるいは、ユーザが入力
したユーザコードであることを特徴とする請求項１から請求項９のいずれかの項に記載の
印刷装置。
【請求項１１】
所定のエリアに属するユーザが要求したデータを印刷する印刷方法であって、
前記所定のエリアに属するユーザを識別するユーザ識別情報と前記ユーザの携帯端末の
アドレス情報とを関連付けて記憶する記憶工程と、
前記ユーザが作成した印刷データと、該印刷データの印刷を要求したユーザのユーザ
識別情報と、を受信して印刷要求を受け付けるデータ受信工程と、
前記データ受信工程で受信した前記ユーザ識別情報が前記記憶工程に記憶された前記ユ
ーザ識別情報と一致した場合に、前記データを識別するためのデータ識別情報を生成する
データ識別情報生成工程と、
前記ユーザ識別情報に対応するアドレス情報を前記記憶工程から読み出し、このアドレス情報を用いて前記ユーザの携帯端末へ生成した前記データ識別情報を通知して印刷実行を認証するか否かを問い合わせる問合せ工程と、
前記問い合わせに対応して前記ユーザの携帯端末からデータ識別情報と印刷実行を認証
するか否かを示す回答情報とを受信する回答受信工程と、
受信した回答情報が認証を示している場合に、受信したデータ識別情報で特定される印
刷データの印刷実行を指示する印刷実行指示工程と、
を備えることを特徴とする印刷方法。
【請求項１２】
前記印刷データの印刷に伴う料金の情報、又は画像データのダウンロードに伴う料金の
情報を前記携帯端末の料金システムへ出力する、
ことを特徴とする請求項１１に記載の印刷方法。
【請求項１３】
前記印刷データの印刷に伴う料金分の電子マネー情報を前記携帯端末に予め補充される
電子マネー情報から減額し、前記携帯端末から減額した電子マネー情報を電子マネー情報
の取引を管理する電子マネー管理システムに出力する、
ことを特徴とする請求項１１又は１２に記載の印刷方法。
【請求項１４】
所定のエリアに属するユーザが要求したデータを印刷する印刷装置のコンピュータプロ
グラムであって、
コンピュータを
前記所定のエリアに属するユーザを識別するユーザ識別情報と前記ユーザの携帯端末のア
ドレス情報とを関連付けて記憶する記憶手段と、
前記ユーザが作成した印刷データと、該印刷データの印刷を要求したユーザのユーザ
識別情報と、を受信して印刷要求を受け付けるデータ受信手段と、
前記データ受信手段が受信した前記ユーザ識別情報が前記記憶手段に記憶された前記ユ
ーザ識別情報と一致した場合に、前記データを識別するためのデータ識別情報を生成する
データ識別情報生成手段と、
前記ユーザ識別情報に対応するアドレス情報を前記記憶手段から読み出し、このアドレス情報を用いて前記ユーザの携帯端末へ生成した前記データ識別情報を通知して印刷実行を認証するか否かを問い合わせる問合せ手段と、
前記問い合わせに対応して前記ユーザの携帯端末からデータ識別情報と印刷実行を認証
するか否かを示す回答情報とを受信する回答受信手段と、
受信した回答情報が認証を示している場合に、受信したデータ識別情報で特定される印
刷データの印刷実行を指示する印刷実行指示手段と、
して機能させることを特徴とするコンピュータプログラム。
【発明の詳細な説明】
【技術分野】
【０００１】
本発明は、印刷装置及び方法、ならびに、コンピュータプログラムに関する。
【背景技術】
【０００２】
従来、プリンタを所有していないユーザは、店舗のプリントサービスを利用したり、プ
リンタを所有する知人に依頼するなどして、文書や画像などのデータの印刷を行っていた
。
【０００３】
また、特許文献１には、外出先で電子メールに添付されたファイルを確認することがで
きるドキュメント配信装置等について記載されている。具体的には、ユーザは、外出先に
おいて、会社等のメールアカウントに添付ファイル付きの電子メールを受信したことの通
知を携帯端末に受ける。ユーザが、この携帯端末から出力先となるＦＡＸやプリンタ等を
指定すると、出力指定先に添付ファイルが印刷される。
【特許文献１】特開２００１−３０６４６９号公報
【発明の開示】
【発明が解決しようとする課題】
【０００４】
上述するように、プリンタを所有していないユーザが店舗や知人にデータの印刷を依頼
する場合、時間的な制限があったり、店舗や知人宅まで出向かなければならないなど、利
便性が悪く、すぐに印刷物が必要なときに対応できないことがあった。しかし、プリンタ
を使用する頻度が少ないユーザの場合、自身でプリンタを購入するのは経済的ではない。
また、ユーザが個人でプリンタを所有する場合であっても、高性能なプリンタは高価であ
り、購入するのがためらわれる。
【０００５】
しかし、特許文献１では、電子メールの添付ファイルや登録された印刷文書を任意の出
力先に印刷することはできるが、印刷物の出力先の店舗や企業などで印刷物を受け取らな
ければならず、プリンタを保有していないユーザの利便性を改善するものではない。
【０００６】
この発明は、このような事情を考慮してなされたもので、その目的は、プリンタを所有
しないユーザが安価にかつ利便性よい印刷サービスを利用することがきる印刷装置及び方
法、ならびに、コンピュータプログラムを提供することにある。
【課題を解決するための手段】
【０００７】
この発明は、上記の課題を解決すべくなされたもので、
所定のエリアに属するユーザが要求したデータを印刷する印刷装置であって、
前記所定のエリアに属するユーザを識別するユーザ識別情報と前記ユーザの携帯端末の
アドレス情報とを関連付けて記憶する記憶手段と、
前記ユーザが作成した印刷データと、該印刷データの印刷を要求したユーザのユーザ
識別情報と、を受信して印刷要求を受け付けるデータ受信手段と、
前記データ受信手段が受信した前記ユーザ識別情報が前記記憶手段に記憶された前記ユ
ーザ識別情報と一致した場合に、前記データを識別するためのデータ識別情報を生成する
データ識別情報生成手段と、
前記ユーザ識別情報に対応するアドレス情報を前記記憶手段から読み出し、このアドレス情報を用いて前記ユーザの携帯端末へ生成した前記データ識別情報を通知して印刷実行を認証するか否かを問い合わせる問合せ手段と、
前記問い合わせに対応して前記ユーザの携帯端末からデータ識別情報と印刷実行を認証
するか否かを示す回答情報とを受信する回答受信手段と、
受信した回答情報が認証を示している場合に、受信したデータ識別情報で特定される印
刷データの印刷実行を指示する印刷実行指示手段と、
を備えることを特徴とする印刷装置である。
【０００８】
上記発明によれば、印刷装置は、所定のエリアに属するユーザの端末や共用のコピー機
から印刷データを受信して印刷要求を受け付けると、データ識別情報を生成して印刷要求
を行ったユーザの携帯端末に通知し、印刷の実行を認証するか否かを問い合わせる。そし
て、認証する旨の応答を受信した場合に、この印刷データを印刷する。
【０００９】
これにより、集合住宅、宿泊施設、学校などの限られたエリアに属するユーザが、自身
のパーソナルコンピュータや共用のコピー機などから、エリア内に設置された共用の印刷
装置を使用して印刷を行うことができる。従って、ユーザが個人でプリンタやコピー機を
所有することなく、印刷やコピーを行うことができる。また、印刷実行の認証には、日常
携帯し、使用している自身の携帯端末を用いることができる。
【００１０】
また、本発明は、上述する印刷装置であって、前記データ受信手段は、印刷データの代
わりに画像データを受信し、前記データ識別情報生成手段は、前記データ受信手段が受信
した画像データを識別するためのデータ識別情報を生成し、前記問合せ手段は、前記ユー
ザの携帯端末へ前記データ識別情報を通知して、画像データのダウンロードを認証するか
否かを問い合わせ、前記回答受信手段は、前記問い合わせに対応して前記ユーザの携帯端
末からデータ識別情報と画像データのダウンロードを認証するか否かを示す回答情報とを
受信し、画像データ出力手段は、受信した回答情報が認証を示している場合に、このダウ
ンロードが許可された画像データのダウンロード要求を受け、該画像データをダウンロー
ドする、ことを特徴とする。
【００１１】
上記発明によれば、印刷装置は、スキャナから画像データを受信すると、データ識別情
報を生成してユーザの携帯端末に通知し、ダウンロードを認証するか否かを問い合わせる
。認証する旨の応答を受信した場合に、画像データのダウンロードを行う。
【００１２】
これにより、集合住宅、宿泊施設、学校などの限られたエリアに属するユーザが、共用
のスキャナで読み込んだデータを、自身の端末へダウンロードすることができる。
また、本発明は、上述する印刷装置であって、印刷データの印刷あるいは画像データの
ダウンロードに伴う料金の情報を示す課金情報を生成する課金情報生成手段と、前記課金
情報生成手段が生成した課金情報を携帯端末の料金システムへ出力する課金情報通知手段
と、をさらに備えることを特徴とする。
【００１３】
上記発明によれば、印刷装置は、印刷あるいはスキャナで読み取った画像データのダウ
ンロードにより発生する料金を課金するための情報を、携帯端末の料金システムへ出力す
る。
【００１４】
これにより、携帯端末の料金システムへ、印刷、コピーあるいはスキャナ使用に伴う課
金の情報を通知することができるため、ユーザに携帯端末の使用料金とあわせて印刷、コ
ピーあるいはスキャナの使用料金を請求することができる。
【００１５】
また、本発明は、上述する印刷装置であって、前記印刷データの印刷に伴う料金分の電
子マネー情報、又は前記画像データのダウンロードに伴う料金分の電子マネー情報を前記
携帯端末に予め補充される電子マネー情報から減額し、電子マネー情報の取引を管理する
電子マネー管理システムに前記携帯端末から減額した電子マネー情報を出力する課金処理
手段を備える、ことを特徴とする。
【００１６】
上記発明によれば、印刷装置は、印刷又はダウンロードに伴う料金分の電子マネー情報
を携帯端末に予め補充される電子マネー情報から減額することによって、印刷に伴う料金
、又はダウンロードに伴う料金を課金する。従って、プリンタを有しないユーザが、印刷
、又はダウンロードの認証、さらにはその料金の課金を携帯端末によって行うことができ
、印刷やダウンロードの利便性をより向上することができる。
【００１７】
また、本発明は、上述する印刷装置であって、前記課金処理手段が、前記印刷データの
印刷に伴う料金分の電子マネー情報、又は前記画像データのダウンロードに伴う料金分の
電子マネー情報を前記携帯端末に設けられる記憶素子の記憶する電子マネー情報から減額
し、電子マネー情報の取引を管理する電子マネー管理システムに前記携帯端末から減額し
た電子マネー情報を出力する、ことを特徴とする。
【００１８】
上記発明によれば、印刷装置は、印刷又はダウンロードに伴う料金分の電子マネー情報
を記憶素子に記憶される電子マネー情報から減額することによって、印刷に伴う料金、又
はダウンロードに伴う料金を課金する。従って、携帯端末を印刷装置に近づけるだけで電
子マネー情報による課金を行うことができ、印刷やダウンロードの利便性をより向上する
ことができる。
【００１９】
また、本発明は、上述する印刷装置であって、前記印刷データの印刷に伴う料金の情報
、又は前記画像データのダウンロードに伴う料金の情報を前記携帯端末の料金システムに
出力する課金情報通知手段と、前記印刷データの印刷に伴う料金分の電子マネー情報、又
は前記画像データのダウンロードに伴う料金分の電子マネー情報を前記携帯端末に補充さ
れる電子マネー情報から減額し、電子マネー情報の取引を管理する電子マネー管理システ
ムに前記携帯端末から減額した電子マネー情報を出力する課金処理手段とを備え、前記携
帯端末の料金システムに対する前記料金の情報の出力と前記電子マネー管理システムに対
する減額した電子マネー情報の出力とを、前記携帯端末によって選択するようにする、こ
とを特徴とする。
【００２０】
上記発明によれば、印刷装置は、印刷に伴う料金、又はダウンロードに伴う料金の情報
を携帯端末の料金システムに出力するか、あるいは減額した電子マネー情報を電子マネー
管理システムに出力するかの選択を携帯端末によって行う。従って、印刷装置から離れた
位置で、印刷等の認証と、同印刷等に伴う料金の課金方法を選択することができ、印刷や
ダウンロードの利便性をより向上することができる。
【００２１】
また、本発明は、上述する印刷装置であって、前記問合せ手段が、前記印刷データの印
刷に伴う料金、又は前記画像データのダウンロードに伴う料金を前記携帯端末に通知して
、前記印刷データの印刷実行、又は前記画像データのダウンロードを認証するか否かを問
合せるようにした、ことを特徴とする。
【００２２】
上記発明によれば、印刷装置は、印刷又はダウンロードに伴う料金を問合せ手段によっ
て携帯端末に通知し、その後、印刷データの印刷実行又は画像データのダウンロードを認
証するか否かを問合せる。従って、料金を確認した上で印刷の実行、又はダウンロードの
実行を認証することができ、印刷やダウンロードの利便性をより向上することができる。
【００２３】
また、本発明は、上述する印刷装置であって、障害の発生を検出する障害検出手段と、
前記障害検出手段が検出した障害の発生を所定の障害発生通知先へ通知する障害通知手段
と、をさらに備えることを特徴とする。
【００２４】
上記発明によれば、印刷装置は、内部に障害が発生した場合に、自動的にメンテナンス
会社へ障害発生を通知する。
これにより、印刷装置のメンテナンスを迅速に行うことができ、さらには、メンテナン
スの工数を削減することができる。
【００２５】
また、本発明は、上述する印刷装置であって、前記印刷実行指示手段または前記画像デ
ータ出力手段は、受信した前記回答情報が認証しないことを示している場合に、受信した
前記データ識別情報で特定され、内部に一時的に記憶している前記印刷データまたは前記
画像データを消去する、ことを特徴とする。
【００２６】
上記発明によれば、印刷装置は、ユーザから、印刷実行を認証しないこと、あるいは、
画像データのダウンロードを認証しないことを受信した場合に、内部に保持している印刷
データあるいは画像データを削除する。
【００２７】
これにより、ユーザが間違って端末から印刷を送信した場合や画像データの取り込みを
行った場合であっても、印刷や画像データのダウンロードの要求を取り消すことができる
。また、データを削除することで、セキュリティを保つことができる。加えて、不要な印
刷やダウンロードの料金を請求されることがなくなる。
【００２８】
また、本発明は、上述する印刷装置であって、前記ユーザ識別情報は、ユーザの用いた
機器のアドレス情報、あるいは、ユーザが入力したユーザコードであることを特徴とする
。
【００２９】
上記発明によれば、印刷装置は、印刷データを送信したユーザの端末、または、この端
末に接続された通信装置のアドレス、あるいは、ユーザが入力したユーザコードによりコ
ピー、または、スキャナを利用したユーザを識別する。
【００３０】
これにより、印刷装置は、印刷データの送信元であるユーザのパーソナルコンピュータ
や通信装置などの機器のＩＰアドレスによりユーザを識別することができるため、ユーザ
によるユーザ識別情報の入力が不要となる。また、共用のコピー機やスキャナを使用した
場合であっても、ユーザコードを入力させることで、ユーザを識別することができる。
【００３１】
また、本発明は、
所定のエリアに属するユーザが要求したデータを印刷する印刷方法であって、
前記所定のエリアに属するユーザを識別するユーザ識別情報と前記ユーザの携帯端末の
アドレス情報とを関連付けて記憶する記憶工程と、
前記ユーザが作成した印刷データと、該印刷データの印刷を要求したユーザのユーザ
識別情報と、を受信して印刷要求を受け付けるデータ受信工程と、
前記データ受信工程で受信した前記ユーザ識別情報が前記記憶手段に記憶された前記ユ
ーザ識別情報と一致した場合に、前記データを識別するためのデータ識別情報を生成する
データ識別情報生成工程と、
前記ユーザ識別情報に対応するアドレス情報を前記記憶工程から読み出し、このアドレス情報を用いて前記ユーザの携帯端末へ生成した前記データ識別情報を通知して印刷実行を認証するか否かを問い合わせる問合せ工程と、
前記問い合わせに対応して前記ユーザの携帯端末からデータ識別情報と印刷実行を認証
するか否かを示す回答情報とを受信する回答受信工程と、
受信した回答情報が認証を示している場合に、受信したデータ識別情報で特定される印
刷データの印刷実行を指示する印刷実行指示工程と、
を備えることを特徴とする印刷方法である。
【００３２】
上記発明によれば、印刷装置は、所定のエリアに属するユーザの端末や共用のコピー機
から印刷データを受信して印刷要求を受け付けると、データ識別情報を生成して印刷要求
を行ったユーザの携帯端末に通知し、印刷の実行を認証するか否かを問い合わせる。そし
て、認証する旨の応答を受信した場合に、この印刷データを印刷する。
【００３３】
これにより、集合住宅、宿泊施設、学校などの限られたエリアに属するユーザが、自身
のパーソナルコンピュータや共用のコピー機などから、エリア内に設置された共用の印刷
装置を使用して印刷を行うことができる。従って、ユーザが個人でプリンタやコピー機を
所有することなく、印刷やコピーを行うことができる。また、印刷実行の認証には、日常
携帯し、使用している自身の携帯端末を用いることができる。
【００３４】
また、本発明は、上述する印刷方法であって、前記印刷データの印刷に伴う料金の情報
、又は画像データのダウンロードに伴う料金の情報を前記携帯端末の料金システムへ出力
する、ことを特徴とする。
【００３５】
上記発明によれば、印刷方法は、印刷又はダウンロードに伴う料金の情報を携帯端末の
料金システムへ出力する。従って、携帯端末の使用料金に印刷等の料金を付加することが
でき、印刷やダウンロードの利便性を向上することができる。
【００３６】
また、本発明は、上述する印刷方法であって、前記印刷データの印刷に伴う料金分の電
子マネー情報を前記携帯端末に補充される電子マネー情報から減額し、前記携帯端末から
減額した電子マネー情報を電子マネー情報の取引を管理する電子マネー管理システムに出
力する、ことを特徴とする。
【００３７】
上記発明によれば、印刷方法は、印刷に伴う料金分の電子マネー情報を携帯端末に補充
される電子マネー情報から減額し、携帯端末から減額した電子マネー情報を電子マネー情
報の取引を管理する電子マネー管理システムに出力する。従って、印刷等の料金を電子マ
ネー情報によって課金することができ、印刷やダウンロードの利便性を向上することがで
きる。
【００３８】
また、本発明は、
所定のエリアに属するユーザが要求したデータを印刷する印刷装置のコンピュータプログ
ラムであって、
コンピュータを
前記所定のエリアに属するユーザを識別するユーザ識別情報と前記ユーザの携帯端末のア
ドレス情報とを関連付けて記憶する記憶手段と、
前記ユーザが作成した印刷データと、該印刷データの印刷を要求したユーザのユーザ識
別情報と、を受信して印刷要求を受け付けるデータ受信手段と、
前記データ受信手段が受信した前記ユーザ識別情報が前記記憶手段に記憶された前記ユ
ーザ識別情報と一致した場合に、前記データを識別するためのデータ識別情報を生成する
データ識別情報生成手段と、
前記ユーザ識別情報に対応するアドレス情報を前記記憶手段から読み出し、このアドレス情報を用いて前記ユーザの携帯端末へ生成した前記データ識別情報を通知して印刷実行を認証するか否かを問い合わせる問合せ手段と、
前記問い合わせに対応して前記ユーザの携帯端末からデータ識別情報と印刷実行を認証
するか否かを示す回答情報とを受信する回答受信手段と、
受信した回答情報が認証を示している場合に、受信したデータ識別情報で特定される印
刷データの印刷実行を指示する印刷実行指示手段と、
して機能させることを特徴とするコンピュータプログラムである。
【００３９】
上記発明によれば、印刷装置は、所定のエリアに属するユーザの端末や共用のコピー機
から印刷データを受信して印刷要求を受け付けると、データ識別情報を生成して印刷要求
を行ったユーザの携帯端末に通知し、印刷の実行を認証するか否かを問い合わせる。そし
て、認証する旨の応答を受信した場合に、この印刷データを印刷する。
【００４０】
これにより、集合住宅、宿泊施設、学校などの限られたエリアに属するユーザが、自身
のパーソナルコンピュータや共用のコピー機などから、エリア内に設置された共用の印刷
装置を使用して印刷を行うことができる。従って、ユーザが個人でプリンタやコピー機を
所有することなく、印刷やコピーを行うことができる。また、印刷実行の認証には、日常
携帯し、使用している自身の携帯端末を用いることができる。
【発明を実施するための最良の形態】
【００４１】
（第１実施形態）
この発明を具体化した第１実施形態を、図１〜図４に従って説明する。図１は、第１実
施形態による印刷システムの構成を示すブロック図である。
【００４２】
この印刷システムは、集合住宅、宿泊施設、学校等の限られたエリアに属するユーザに
利用されるが、ここでは、集合住宅において利用することを想定する。この集合住宅には
、各居室及び公共スペースにＬＡＮ（Ｌｏｃａｌ  Ａｒｅａ  Ｎｅｔｗｏｒｋ）が敷設さ
れており、このＬＡＮに接続される端末は、通信装置５を介してインターネットなどの公
衆網であるネットワークＮと接続される。
【００４３】
そして、集合住宅に居住するユーザは、自身の居室に設置された端末１から、集合住宅
の共用スペースに設置された印刷装置４へ印刷データを送信し、印刷を要求する。印刷装
置４は、受信した印刷データを内部に保持しておき、ユーザの携帯端末６へ印刷の実行を
認証するかを確認するための電子メールを送信する。ユーザが、携帯端末６からこの電子
メールに対して印刷の実行を認証する旨を返信すると、印刷装置４は、保持していた印刷
データの印刷を実行する。この印刷に係る料金の情報は、携帯電話会社の料金システム７
へ通知され、印刷料金は、携帯端末の使用料金と合わせてユーザに請求される。
【００４４】
端末１は、集合住宅に居住するユーザの保有する、例えば、パーソナルコンピュータや
デジタルカメラなどの機器であり、１０／１００Ｂａｓｅ−Ｔや無線ＬＡＮなどにより通
信装置２と接続される。そして、印刷装置４へ印刷データ及び印刷条件情報からなる印刷
情報を送信して印刷を要求する機能を有する。印刷条件情報は、印刷用紙サイズ、印刷枚
数、色（白黒／カラー）など、印刷の条件を示す情報からなる。また、印刷装置４へアク
セスして、スキャナで読み取ったデータである画像データのダウンロードを要求する機能
を有する。
【００４５】
携帯端末６は、ユーザの保有する携帯電話であり、電子メールを送受信する機能を有す
る。そして、印刷データあるいは画像データを識別するためのデータ識別情報を通知し、
印刷データの印刷実行あるいは画像データのダウンロードを認証するか否かを問い合わせ
る電子メールを印刷装置４から受信する。携帯端末６は、このデータ識別情報と、印刷デ
ータの印刷実行あるいは画像データのダウンロードを認証するか否かを通知する回答情報
とを電子メールにより印刷装置４へ返送する。
【００４６】
料金システム７は、携帯電話会社が保有し、携帯端末６の使用料金に関する情報を管理
する。
管理サーバ８は、印刷装置４のメンテナンスを行うメンテナンス会社が保有し、印刷装
置４から障害検出通知を受信する。
【００４７】
通信装置２は、ルータやスイッチングハブなどであり、１０／１００Ｂａｓｅ−Ｔや無
線ＬＡＮなどにより端末１と、１０／１００Ｂａｓｅ−Ｔなどにより通信装置３と接続さ
れる。
【００４８】
通信装置３は、ルータやスイッチングハブなどであり、１０／１００Ｂａｓｅ−Ｔなど
により通信装置２、印刷装置４、及び、通信装置５と接続される。
通信装置５は、ｘＤＳＬ（Ｄｉｇｉｔａｌ  Ｓｕｂｓｃｒｉｂｅｒ  Ｌｉｎｅ）やＦＴ
ＴＨ（Ｆｉｂｅｒ  ｔｏ  ｔｈｅ  ｈｏｍｅ）、ＩＳＤＮ（Ｉｎｔｅｇｒａｔｅｄ  Ｓｅ
ｒｖｉｃｅｓ  ｄｉｇｉｔａｌ  Ｎｅｔｗｏｒｋ）などによりネットワークＮと接続する
ためのモデムやルータである。
【００４９】
図２は、一実施の形態による印刷装置４の内部構成を示すブロック図であり、本発明と
関係する機能ブロックのみ抽出して示してある。印刷装置４は、制御手段４１、通信手段
４２、記憶手段４３、入力手段４４、印刷手段４５、複写手段４６、読取手段４７、及び
、処理手段４８からなる。なお、ここでは、印刷手段４５、複写手段４６、及び、読取手
段４７を印刷装置４内に備える構成としているが、これらの手段の一部または全てを、印
刷装置４に接続されるプリンタ、コピー機、スキャナなどにより実現する構成としてもよ
い。
【００５０】
制御手段４１は、ＣＰＵ（Ｃｅｎｔｒａｌ  Ｐｒｏｃｅｓｓｉｎｇ  Ｕｎｉｔ）及び各
種メモリから構成され、各部の制御や、データの一時的な格納や、データの転送等を行う
。
【００５１】
通信手段４２は、１０／１００Ｂａｓｅ−Ｔなどにより通信装置３、及び、通信装置５
と接続され、データの送受信を行う。
入力手段４４は、ボタンやキー、タッチパネルなどであり、ユーザからの情報の入力を
受ける。
【００５２】
印刷手段４５は、紙などに印刷データを印刷する機能を有する。
複写手段４６は、紙などに描画されたコピー対象画像を取り込んでデータ化し、コピー
データ（印刷データ）を生成する。
【００５３】
読取手段４７は、スキャナであり、紙などに描画された読み取り対象画像を取り込み、
市販のソフトウェアなどで読み取りや加工が可能な形式でデータ化した画像データを生成
する。
【００５４】
記憶手段４３は、ユーザ情報及び故障通知先情報を記憶している。
ユーザ情報は、ユーザを一意に識別するユーザ識別情報と、ユーザの保有する携帯端末
６の電子メールアドレス及び電話番号を示すアドレス情報とからなる。ユーザ識別情報は
、ユーザの居住スペースに設置された通信装置２またはユーザの保有する端末１の通信ア
ドレス、ユーザコードなどである。なお、携帯端末６の電子メールアドレスや電話番号を
ユーザコードとして使用してもよい。
【００５５】
故障通知先情報は、故障の種類や時間帯に応じた故障通知の送信先のアドレス情報を示
す。
処理手段４８は、データ受信手段４８１、データ識別情報生成手段４８２、問合せ手段
４８３、回答受信手段４８４、印刷実行指示手段４８５、画像データ出力手段４８６、課
金情報生成手段４９１、課金情報通知手段４９２、障害検出手段４９５、及び、障害通知
手段４９６からなる。
【００５６】
データ受信手段４８１は、端末１から印刷情報（印刷データ及び印刷条件情報）とユー
ザ識別情報とを受信し、印刷の要求を受け付ける。また、複写手段４６から印刷データと
してのコピーデータと、ユーザが入力手段４４により入力したユーザ識別情報及び印刷条
件情報を受け、コピーの要求を受け付ける。さらに、読取手段４７から画像データと、ユ
ーザが入力手段４４から入力したユーザ識別情報とを受信する。
【００５７】
データ識別情報生成手段４８２は、印刷データあるいは画像データを一意に識別するた
めのデータ識別情報を生成する。
問合せ手段４８３は、記憶手段４３からユーザ識別情報に対応するアドレス情報を読み
出し、このアドレス情報を用いて、データ識別情報生成手段４８２が生成したデータ識別
情報を通知し、印刷データの印刷実行あるいは画像データのダウンロードを認証するか否
かを問い合わせる電子メールをユーザの携帯端末６へ送信する。
【００５８】
回答受信手段４８４は、データ識別情報と、印刷データの印刷実行を認証するか否かあ
るいは画像データのダウンロードを認証するか否かを通知する電子メールをユーザの携帯
端末６から受信する。
【００５９】
印刷実行指示手段４８５は、ユーザの携帯端末６から印刷実行を認証する旨を受信した
場合に、返送されたデータ識別情報で識別される印刷データの印刷を印刷手段４５へ指示
する。
【００６０】
画像データ出力手段４８６は、ユーザの携帯端末６から画像データのダウンロードを認
証する旨を受信した場合に、ユーザ識別情報あるいはデータ識別情報を受信してダウンロ
ード要求を受け付け、対応する画像データをダウンロードする。
【００６１】
課金情報生成手段４９１は、印刷（コピー含む）、あるいは、画像データのダウンロー
ドに伴う料金を算出し、課金情報を生成する。
課金情報通知手段４９２は、携帯電話会社の料金システム７へ、課金情報生成手段４９
１が生成した課金情報を通知する。
【００６２】
障害検出手段４９５は、内部に発生した障害を検出する。
障害通知手段４９６は、障害検出手段４９５が検出した障害を電子メールなどによりメ
ンテナンス会社の管理サーバ８へ通知する。
【００６３】
図３は、ユーザの端末１から印刷を要求した場合の印刷装置４の動作を示すフローチャ
ートである。
ユーザは、自身の居室において端末１を使用し、印刷を実行するための操作を行う。こ
れにより、通信装置２を介して、端末１から印刷装置４に印刷要求が送信される。印刷要
求には、印刷データと、印刷用紙サイズ、印刷枚数、色（白黒／カラー）などを指定する
印刷条件情報とからなる印刷情報が含まれる。
【００６４】
印刷装置４のデータ受信手段４８１は、印刷要求を受信すると、この印刷要求のヘッダ
情報から送信元の端末１、あるいは、この端末１が接続される通信装置２のＩＰアドレス
を取得する（ステップＳ１１０）。データ識別情報生成手段４８２は、記憶手段４３内の
ユーザ情報を検索し、取得したＩＰアドレスが登録されているか否かを確認する（ステッ
プＳ１１５）。ＩＰアドレスが登録されている場合には、正当なユーザからの印刷要求で
あると判断し、生成の都度異なるデータ識別情報を生成する（ステップＳ１２０）。そし
て、この生成したデータ識別情報と受信した印刷要求内の印刷情報とをリンクさせて一時
的に内部に記憶する。
【００６５】
続いて、問合せ手段４８３は、記憶手段４３のユーザ情報を検索し、ステップＳ１１０
において取得したＩＰアドレスに対応する携帯端末６の電子メールアドレスを読みだす（
ステップＳ１２５）。そして、ステップＳ１２０において生成したデータ識別情報と、印
刷実行を認証するか否かを問い合わせる内容の文章とからなる電子メールを生成し、読み
出した電子メールアドレス宛に送信する（ステップＳ１３０）。
【００６６】
送信された電子メールは、ネットワークＮを介して携帯端末６へ通知される。ユーザは
、電子メールを受信すると、この電子メールに対して返信する。この返信される電子メー
ルには、印刷実行を認証するか否かを示す回答情報と、受信した電子メールで通知された
データ識別情報とが所定のフォーマットに従って記述される。なお、回答情報、データ識
別情報は、返信電子メールの本文のほか、タイトルなどに設定してもよく、認証するか否
かに応じて返信先の電子メールアドレスを変えることでもよい。
【００６７】
印刷装置４の回答受信手段４８４は、携帯端末６から返信電子メールを受信すると、デ
ータ識別情報と回答情報とを抽出する（ステップＳ１３５）。抽出した回答情報が認証を
示している場合（ステップＳ１４０“Ｙｅｓ”）、印刷実行指示手段４８５は、抽出した
データ識別情報で識別される印刷情報を内部から読み出す。そして、読み出した印刷情報
内に含まれる印刷データを、同印刷情報内の印刷条件情報で指示された印刷サイズ、枚数
、色により印刷するよう印刷手段４５へ指示する。印刷手段４５は、指示された印刷サイ
ズ、枚数、色により印刷データを紙などに印刷する（ステップＳ１４５）。
【００６８】
印刷が終了すると、課金情報生成手段４９１は、印刷データの印刷サイズ、枚数、及び
色に応じた料金を算出する。そして、算出した料金、印刷日時、課金対象となるユーザの
携帯端末６の電話番号などからなる課金情報を生成する（ステップＳ１５０）。課金情報
通知手段４９２は、生成された課金情報を、ユーザの保有する携帯端末６の使用料金を管
理する料金システム７へ通知する（ステップＳ１５５）。
【００６９】
携帯電話会社では、料金システム７が受信した課金情報に基づき、携帯端末６の使用料
金に併せて、印刷料金をユーザに請求する。この印刷料金には、サービス利用料金、印刷
用紙、トナー代金、メンテナンス代金、維持費などが含まれる。
【００７０】
なお、ステップＳ１１５において、ユーザが登録されていないと判断した場合、あるい
は、ステップＳ１４０において、回答情報が印刷実行を認証しないことを示していた場合
、印刷装置４は、内部に一時的に記憶していた印刷情報を削除する（ステップＳ１６０）
。
【００７１】
また、ユーザはコピーを行いたい場合、まず、印刷装置４へ自身のユーザコードと、印
刷条件情報（用紙サイズ、コピー枚数、色など）とを入力する。続いて、ユーザが、コピ
ーを行う原紙を印刷装置４に読み込ませると、複写手段４６はコピーデータを生成する。
データ受信手段４８１は、入力手段４４から入力されたユーザコード及び印刷条件情報と
、複写手段４６により生成された印刷データとしてのコピーデータを受信する。以降の動
作は、上述するステップＳ１１５以降の動作と同様である。但し、ユーザ識別情報として
、印刷要求から抽出したＩＰアドレスの代わりに、ユーザが入力したユーザコードが使用
される。
【００７２】
図４は、スキャナ使用時の印刷装置４の動作を示すフローチャートである。
ユーザが、共用スペースに設置された印刷装置４へ自身のユーザコードを入力し、読み
取り対象の原紙を印刷装置４に読み込ませることにより、読取手段４７は画像データを生
成する。データ受信手段４８１は、生成された画像データと、入力されたユーザコードと
を受信する（ステップＳ２１０）。
【００７３】
そして、入力されたユーザコードによりユーザの正当性を確認して、データ識別情報を
生成し、さらに、通知先の携帯端末６の電子メールアドレスを取得するステップＳ２１５
〜ステップＳ２２５までの動作は、図３のステップＳ１１５〜ステップＳ１２５までの動
作と同様である。なお、データ識別情報生成手段４８２は、生成したデータ識別情報と、
ステップＳ２１０で受信した画像データ及びユーザコードとをリンクさせて一時的に内部
に記憶する。
【００７４】
問合せ手段４８３は、画像データを識別するデータ識別情報と、画像データのダウンロ
ードを認証するか否かを問い合わせる内容の文章とからなる電子メールを生成し、読み出
した電子メールアドレス宛に送信する（ステップＳ２３０）。
【００７５】
送信された電子メールは、ネットワークＮを介して携帯端末６へ通知される。ユーザは
、電子メールを受信すると、この電子メールに対して返信する。返信される電子メールに
は、画像データのダウンロードを認証するか否かを示す回答情報と、受信した電子メール
で通知されたデータ識別情報とが所定のフォーマットに従って記述される。
【００７６】
印刷装置４の回答受信手段４８４は、携帯端末６から返信電子メールを受信すると、デ
ータ識別情報と回答情報とを抽出する（ステップＳ２３５）。抽出した回答情報が認証を
示している場合（ステップＳ２４０“Ｙｅｓ”）、そのまま画像データを保持し、ダウン
ロード要求の受信を待ち受ける。
【００７７】
ユーザは、自身の端末１から印刷装置４へアクセスし、ステップＳ２３０で電子メール
により通知されたデータ識別情報を送信して画像データのダウンロードを要求する。
印刷装置４の画像データ出力手段４８６は、データ識別情報を受信し、ダウンロード要
求を受け付ける（ステップＳ２４５）。すると、受信したデータ識別情報に対応する画像
データを内部から読み出して端末１へダウンロードする（ステップＳ２５０）。
【００７８】
なお、データ識別情報の代わりに、ユーザコードを入力してもよく、また、印刷装置４
へアクセスしたときに通知される端末１あるいは通信装置２のＩＰアドレスを用いても良
い。このとき、画像データ出力手段４８６は、ユーザコード、あるいは、端末１または通
信装置２のＩＰアドレスなどのユーザ識別情報で識別され、認証を受信済みの画像データ
をダウンロードする。
【００７９】
ダウンロードが終了すると、課金情報生成手段４９１は、画像データのデータサイズな
どに応じた料金を算出する。そして、算出した料金、ダウンロード日時、課金対象となる
ユーザの携帯端末６の電話番号などからなる課金情報を生成する（ステップＳ２５５）。
課金情報通知手段４９２は、生成された課金情報を、ユーザの保有する携帯端末６の使用
料金を管理する料金システム７へ通知する（ステップＳ２６０）。
【００８０】
携帯電話会社では、料金システム７が受信した課金情報に基づき、携帯端末６の使用料
金に併せて、スキャナの使用料金をユーザに請求する。携帯電話会社では、携帯端末６の
使用料金に併せて、スキャナ利用料金をユーザに請求する。
【００８１】
なお、ステップＳ２１５において、ユーザが登録されていないと判断した場合、あるい
は、ステップＳ２４０において、回答情報がダウンロードを認証しないことを示していた
場合、印刷装置４は、内部に一時的に記憶していた画像データを削除する（ステップＳ２
６５）。
【００８２】
また、印刷装置４に故障が発生した場合、障害検出手段４９５は、この故障を検出し、
故障の種類に応じて故障解析に必要なデータを収集する。続いて、障害通知手段４９６は
、障害検出手段４９５が検出した故障の種類や時間帯により、記憶手段４３内の故障通知
先情報を検索し、故障通知の送信先の電子メールアドレスを取得する。そして、取得した
電子メールアドレスを用い、自身を識別する印刷装置識別情報、故障発生時間、故障の種
類、故障解析に必要なデータなどを通知する電子メールをメンテナンス会社の管理サーバ
８あるいはメンテナンス会社の担当者の端末へ送信する。
【００８３】
上記第１実施形態によれば、以下の効果を得ることができる。
上述するように、印刷指示を受信する度にデータ識別情報を生成することにより、例え
ば、端末１が、内容が異なるが、同じファイル名で作成された文書ファイルの印刷要求を
複数回送信した場合であっても、それぞれを異なる印刷データとして識別することができ
る。また、端末１から送信された印刷データに付加されたファイル名に、印刷要求を受信
した時刻を示す情報を付加してデータ識別情報を生成することにより印刷データをわかり
やすく識別できるようにしたり、ランダムな情報によりデータ識別情報を構成することに
より元のファイル名を秘匿することもできる。
【００８４】
また、電子メールにより直接データ識別情報を携帯電話に通知するため、ユーザは、こ
れに返信することでより簡易に印刷やダウンロードを認証するか否かを通知することがで
きる。
【００８５】
上記実施形態によれば、集合住宅、宿泊施設、学校などの限られたエリアに属するユー
ザが、自身のパーソナルコンピュータや共用のコピー機などから、エリア内に設置された
共用の印刷装置を使用して印刷を行うことができる。また、共用のスキャナで読み込んだ
データを、自身の端末装置へダウンロードすることができる。これにより、ユーザが個人
でプリンタやコピー機、スキャナを所有する必要がなくなる。
【００８６】
また、印刷装置は、印刷データの送信元であるユーザのパーソナルコンピュータや通信
装置などの機器のＩＰアドレスによりユーザを識別することができるため、ユーザによる
ユーザ識別情報の入力が不要となる。また、共用のコピー機やスキャナを使用した場合、
ユーザにユーザコードを入力させることで、ユーザを識別することができる。
【００８７】
また、ユーザは、特別な機器を用意することなく、自身が日常携帯し、使用している携
帯電話を用いて、特定エリア内で提供される印刷、コピー及び画像データのダウンロード
サービスを享受することができる。さらに、この使用料金は、携帯端末の使用料金とあわ
せて請求されるため、支払いの手間が軽減される。
【００８８】
また、間違って端末から印刷要求を送信した場合や画像データの取り込みを行った場合
であっても、印刷や画像データのダウンロードの実行を取り消すことができ、また、デー
タを削除することで、セキュリティを保つことができる。加えて、不要な印刷やダウンロ
ードの料金を請求されることがなくなる。
【００８９】
また、障害が発生したときに、自動的にメンテナンス会社へ通知されるため、印刷装置
のメンテナンスを迅速に行うことができ、さらには、メンテナンスの工数を削減すること
ができる。
【００９０】
（第２実施形態）
次に、本発明を具体化した第２実施形態を、図５〜図１８に従って説明する。なお、第
２実施形態では、第１実施形態における印刷装置４、携帯端末６及びこれらによる課金方
法を変更したものであり、その他の点では第１実施形態と同一の構成になっている。その
ため以下では、これらの変更点について詳細に説明する。
【００９１】
印刷装置４は、第１実施形態と同じく、図５に示すように、通信装置２，３及びＬＡＮ
を介して端末１に接続されている。また、印刷装置４は、通信装置５及びネットワークＮ
を介して携帯端末６、料金システムとしての通話料金管理システム７ａ、料金システムと
しての電子マネー管理システム７ｂ及び管理サーバ８に接続されている。
【００９２】
さらに、印刷装置４と携帯端末６とは、印刷装置４に設けられたリード・ライト手段５
０（図１２参照）と携帯端末６に設けられた記憶素子としての非接触ＩＣチップ６５（図
１１参照）とによって、非接触で交信が行われるようになっている。その非接触ＩＣチッ
プ６５には、電子マネー会社が管理する入金端末装置によって、ユーザが予め入金した所
定金額の現金に代わる金額データ（電子マネー情報）が格納されるようになっている。す
なわち、非接触ＩＣチップ６５は、公知の方法によってプリペイド型の電子マネーを格納
するようになっている。そして、携帯端末６を印刷装置４にかざす（近づける）だけで、
非接触ＩＣチップ６５と印刷装置４との間で電子マネー情報（以下単に、電子マネーとい
う。）などの情報の授受が行えるようになっている。つまり、印刷装置４は、携帯端末６
に格納される電子マネーの残高から印刷に伴う料金（印刷料金）を非接触で減額し、その
減額分に相対する電子マネーを電子マネー管理システム７ｂに送信するようになっている
。
【００９３】
印刷装置４は、第１実施形態と同じく、ＬＡＮ及び通信装置２，３を介して端末１から
印刷情報ＰＩを受信し、その印刷情報ＰＩに対応するデータ識別情報ＩＤＩを生成するよ
うになっている。また、印刷装置４は、データ識別情報ＩＤＩとユーザ情報ＵＩＦに基づ
く問合せ情報ＴＩを生成し、通信装置５及びネットワークＮを介して携帯端末６にその問
合せ情報ＴＩを送信するようになっている。さらに、印刷装置４は、問合せ情報ＴＩの返
信として携帯端末６から選択情報ＳＩと回答情報ＲＩとを受信するようになっている。
【００９４】
図６に示すように、印刷情報ＰＩは、印刷装置４による印刷を要求する情報であって、
ヘッダ情報ＨＩと、その下位情報である印刷データＰＤ及び印刷条件情報ＰＣＩからなる
情報である。ヘッダ情報ＨＩは、印刷情報ＰＩの送信元（端末１）を特定する情報であっ
て、本実施形態では端末１に割り当てられたＩＰアドレスとする。印刷データＰＤは、印
刷対象の画像データを色変換した形式のデータである。印刷条件情報ＰＣＩは、印刷の条
件を示す情報であって、例えば印刷用紙のサイズ、印刷枚数、色（白黒／カラー）などで
ある。
【００９５】
データ識別情報ＩＤＩは、印刷データＰＤ（印刷情報ＰＩ）を一意に識別するための情
報であって、本実施形態では各印刷情報ＰＩに割り当てられるＩＤ番号とする。
図７に示すように、ユーザ情報ＵＩＦは、印刷装置４を利用するユーザに関連した情報
であって、ユーザ識別情報ＵＩと、その下位情報であるアドレス情報ＡＤＩ及びその他の
情報からなる情報である。ユーザ識別情報ＵＩは、ユーザを一意に識別するために情報で
あって、本実施形態ではユーザの所有する端末１のＩＰアドレスとする。アドレス情報Ａ
ＤＩは、ユーザの所有する携帯端末６を特定するための情報であって、本実施形態ではユ
ーザの所有する携帯端末６の電子メールアドレスとする。その他の情報は、ユーザの氏名
（漢字、カタカナ）、住所、電話番号、生年月日、性別などである。
【００９６】
図８に示すように、問合せ情報ＴＩは、印刷の認証などをユーザに問合せるための情報
であって、アドレス情報ＡＤＩ、問合せ表示情報ＴＤＩ、データ識別情報ＩＤＩ及び課金
情報ＫＩからなる情報である。課金情報ＫＩは、印刷に伴う料金（印刷料金）であって、
印刷条件情報ＰＣＩ（印刷用紙のサイズ、印刷枚数、色（白黒／カラー）など）に基づい
て算出される情報である。問合せ表示情報ＴＤＩは、データ識別情報ＩＤＩ（ＩＤ番号）
と課金情報ＫＩ（印刷料金）とを携帯端末６の表示部６２（図１１参照）に表示可能にす
る情報である。また、問合せ表示情報ＴＤＩは、印刷料金の課金方法の選択を促すメッセ
ージ（図１６参照）と、印刷の認証を問合せるメッセージ（図１７参照）とを携帯端末６
の表示部６２に表示可能にする情報である。なお、本実施形態における課金方法は、携帯
端末６の通話料金に印刷料金を付加することによって課金する通話料金課金と、印刷料金
に代わる電子マネーを電子マネー管理システム７ｂに送信することによって課金する電子
マネー課金である。
【００９７】
図１０に示すように、選択情報ＳＩは、ユーザの選択した課金方法をデータ識別情報Ｉ
ＤＩ（ＩＤ番号）に関連付ける情報であって、前記データ識別情報ＩＤＩとその下位情報
である課金方法情報ＫＭＩとからなる情報である。課金方法情報ＫＭＩは、通話料金課金
、または電子マネー課金を示す情報である。
【００９８】
図９に示すように、回答情報ＲＩは、印刷の認証結果をデータ識別情報ＩＤＩ（ＩＤ番
号）に関連付ける情報であって、前記データ識別情報ＩＤＩとその下位情報である印刷認
証情報ＰＲＩとからなる情報である。印刷認証情報ＰＲＩは、印刷の認証がされているか
否かを示す情報である。
【００９９】
通話料金管理システム７ａは、携帯電話会社が保有する管理サーバであって、携帯端末
６の使用料金に関する情報を管理する。その通話料金管理システム７ａは、課金情報ＫＩ
などを印刷装置４から受信し、携帯端末６の通話料金に印刷料金を付加して印刷料金の決
済を行う。
【０１００】
電子マネー管理システム７ｂは、電子マネー会社が保有する管理サーバであって、電子
マネーを補充する入金端末装置と所定の専用回線を介して接続されている。電子マネー管
理システム７ｂは、ユーザが予め入金した所定の金額の現金に代わる電子マネーの情報（
補充情報）を入金端末装置から受信する。また、電子マネー管理システム７ｂは、印刷料
金として減額する電子マネーの情報（減額情報ＧＩ）を印刷装置４から受信する。そして
、電子マネー管理システム７ｂは、これら補充情報と減額情報ＧＩとに基づいて印刷料金
の決済を行う。
【０１０１】
（携帯端末６）
図１１は、携帯端末６の電気的構成を説明するためのブロック回路図である。携帯端末
６は、第１実施形態と同じく、ユーザの保有する携帯電話などであって、入力操作部６１
、表示部６２、無線送受信部６３、制御回路部６４及び非接触ＩＣチップ６５を備えてい
る。
【０１０２】
入力操作部６１は、各種ボタンから構成され、その操作に基づくボタン信号は制御回路
部６４に出力される。その入力操作部６１は、電子メールの編集、送受信等を行う際に公
知の方法で操作される。
【０１０３】
表示部６２は、ＬＣＤ等のデバイスからなり、公知の各種画像が制御回路部６４の制御
に基づいて表示される。
無線送受信部６３は、ネットワークＮを介してアンテナ６３ａの受信する受信信号（例
えば、印刷装置４からの問合せ情報ＴＩ等）を制御回路部６４に出力する。また、無線送
受信部６３は、制御回路部６４で生成する送信信号（例えば、入力操作部６１によって選
択した選択情報ＳＩや回答情報ＲＩ等）を、アンテナ６３ａ及びネットワークＮを介して
、印刷装置４などに送信する。
【０１０４】
非接触ＩＣチップ６５は、印刷装置４から放射される電磁波をループアンテナで受信し
て電気信号に変換し、各種情報として制御回路部６４に出力する。また、非接触ＩＣチッ
プ６５は、制御回路部６４から入力される各種情報を電磁波に変換して印刷装置４に送信
する。つまり、非接触ＩＣチップ６５は、公知の方法によって印刷装置４と非接触で交信
する。非接触ＩＣチップ６５は、例えば、ソニー株式会社のＩＣカード規格であるＦＥＬ
ＩＣＡ（フェリカ（登録商標））機能を持つ非接触ＩＣカードと同様な機能を有する非接
触ＩＣチップである。
【０１０５】
その非接触ＩＣチップ６５には、電子マネーの残高を残高情報ＺＩとして記憶する記憶
部６５ａが設けられている。電子マネーは、公知の方法によって補充・減額される金額デ
ータであって、例えば、株式会社ソニーファイナンスインターナショナルの電子マネー規
格であるＥｄｙ（エディ（登録商標））である。
【０１０６】
制御回路部６４は、無線送受信部６３の出力する受信信号（例えば、問合せ情報ＴＩ等
の電子メールデータ）に基づき文字や画像を表示部６２に表示する。その制御回路部６４
には、非接触ＩＣチップ６５の記憶部６５ａに記憶される残高情報ＺＩを読み出すととも
に、非接触ＩＣチップ６５の受信した各種情報に基づいて電子マネーの減額、あるいは補
充を行い、更新した残高情報ＺＩを記憶部６５ａに書き込むリード・ライト回路６４ａを
備えられている。
【０１０７】
（印刷装置４）
図１２は、本実施形態による印刷装置４の電気的構成を示すためのブロック図である。
印刷装置４には、制御手段４１、記憶手段４３、処理手段４８、印刷手段４５、複写手
段４６、読取手段４７、入力手段４４、リード・ライト手段５０、表示手段５１及び通信
手段４２がバス４ａを介して電気的に接続されている。
【０１０８】
制御手段４１は、第１実施形態と同じく、各種制御信号に基づいて印刷手段４５などの
各種手段を制御する。記憶手段４３は、ＲＯＭやＲＡＭなどのメモリからなる手段であっ
て、各種プログラムと、同プログラムを実行するための各種データとを記憶する。例えば
、記憶手段４３は、印刷を行うための印刷プログラムや、印刷を要求するユーザのユーザ
情報ＵＩＦなどを記憶する。
【０１０９】
リード・ライト手段５０は、携帯端末６に設けた非接触ＩＣチップ６５と非接触で交信
する手段であって、図１２に示すように、受信部５０ａと送信部５０ｂとを備えている。
受信部５０ａは、携帯端末６の非接触ＩＣチップ６５から放射される電磁波をループアン
テナで受信して電気信号に変換し、非接触ＩＣチップ６５の記憶部６５ａに記憶される残
高情報ＺＩを受信する。送信部５０ｂは、入力される減額情報ＧＩを電磁波に変換して非
接触ＩＣチップ６５に送信する。
【０１１０】
表示手段５１は、ＬＣＤ等の表示デバイスであって、ユーザに対する各種メッセージを
表示する。
処理手段４８には、図１２に示すように、データ受信手段４８１、データ識別情報生成
手段４８２、課金情報生成手段４９１、問合せ手段４８３、回答受信手段４８４、課金処
理手段５００、印刷実行指示手段４８５などが備えられている。
【０１１１】
データ受信手段４８１は、通信手段４２を介して端末１から送信される印刷情報ＰＩを
受信すると、印刷情報ＰＩのヘッダ情報ＨＩから送信元（端末１）のＩＰアドレスを読み
出すようになっている。また、データ受信手段４８１は、記憶手段４３のユーザ情報ＵＩ
Ｆを検索し、読み出したＩＰアドレスが記憶手段４３に記憶されているか否か、すなわち
送信元のＩＰアドレスが予め登録される集合住宅内のものであるか否かを判断するように
なっている。さらに、データ受信手段４８１は、送信元のＩＰアドレスに対応するユーザ
情報ＵＩＦを読み出し、受信した印刷情報ＰＩに関連付けて記憶手段４３に記憶するよう
にしている。
【０１１２】
データ識別情報生成手段４８２は、データ識別情報ＩＤＩ（ＩＤ番号）を生成し、各印
刷情報ＰＩに割り当てるようになっている。
課金情報生成手段４９１は、印刷条件情報ＰＣＩに基づいて印刷サイズ、枚数、色など
に応じた印刷料金、すなわち課金情報ＫＩを生成し、課金情報ＫＩをデータ識別情報ＩＤ
Ｉ（ＩＤ番号）に関連付けて記憶手段４３に記憶するようにしている。
【０１１３】
問合せ手段４８３は、データ識別情報ＩＤＩ（ＩＤ番号）と課金情報ＫＩとに基づいて
問合せ表示情報ＴＤＩを生成し、同データ識別情報ＩＤＩに対応するアドレス情報ＡＤＩ
をユーザ情報ＵＩＦから読み出して問合せ情報ＴＩを生成するようになっている。また、
問合せ手段４８３は、その問合せ情報ＴＩを通信手段４２から送信するようにしている。
【０１１４】
回答受信手段４８４は、通信手段４２を介して携帯端末６から送信される回答情報ＲＩ
を受信し、その回答情報ＲＩから印刷認証情報ＰＲＩを読み出して印刷の認証がされてい
るか否かを判断するようにしている。
【０１１５】
その回答受信手段４８４には、携帯端末６から返送される選択情報ＳＩを受信する選択
受信手段４８４ａが設けられている。選択受信手段４８４ａは、選択情報ＳＩから課金方
法情報ＫＭＩを読み出し、ユーザの選択する課金方法が通話料金課金であるか、あるいは
電子マネー課金であるかを判断するようにしている。
【０１１６】
課金処理手段５００は、電子マネー課金が選択されるときに減額情報ＧＩを生成し、リ
ード・ライト手段５０を介して減額情報ＧＩを携帯端末６に送信して、残高情報ＺＩを同
携帯端末６から受信するようになっている。また、課金処理手段５００は、記憶手段４３
に格納されるユーザ情報ＵＩＦと、そのユーザ情報ＵＩＦに対応する減額情報ＧＩとを電
子マネー管理システム７ｂに送信するようにしている。また、課金処理手段５００は、通
話料金課金が選択されるときにユーザ情報ＵＩＦと、そのユーザ情報ＵＩＦに対応する課
金情報ＫＩとを通話料金管理システム７ａに送信する課金情報通知手段４９２を備える。
【０１１７】
印刷実行指示手段４８５は、ユーザによって認証されたデータ識別情報ＩＤＩ（ＩＤ番
号）に対応する印刷情報ＰＩを読み出して、印刷を実行するための制御信号を制御手段４
１に出力するようになっている。
【０１１８】
（携帯端末６における課金方法の選択動作）
図１３は、印刷装置４と携帯端末６によって行う課金方法の選択動作を説明するフロー
チャートを示す。
【０１１９】
今、ユーザの端末１から印刷装置４（通信手段４２）に印刷情報ＰＩが送信されると、
印刷装置４の制御手段４１が、記憶手段４３に格納される印刷プログラムを読み出し、処
理手段４８に課金方法の選択動作を実行させる。
【０１２０】
処理手段４８が課金方法の選択動作を開始すると、まず、データ受信手段４８１が、通
信手段４２を介して印刷情報ＰＩを受信する（ステップＳ３１１）。データ受信手段４８
１は、印刷情報ＰＩを受信すると、同印刷情報ＰＩのヘッダ情報ＨＩから送信元のＩＰア
ドレスを読み出し、記憶手段４３のユーザ識別情報ＵＩを検索して読み出したＩＰアドレ
スが予め登録されるものであるか否かを判断する（ステップＳ３１２）。
【０１２１】
次に、データ受信手段４８１は、読み出したＩＰアドレスが予め登録されるものである
と（ステップＳ３１２においてＹＥＳ）、同ＩＰアドレスに対応するユーザ情報ＵＩＦを
記憶手段４３から読み出し、ユーザ情報ＵＩＦに印刷情報ＰＩを関連付けて記憶手段４３
に記憶させる。一方、データ受信手段４８１は、印刷情報ＰＩのＩＰアドレスが予め登録
されるものでないものと判断すると（ステップＳ３１２においてＮＯ）、受信した印刷情
報ＰＩを削除して課金方法の選択動作を終了する（ステップＳ３１２ａ）。
【０１２２】
ユーザ情報ＵＩＦに印刷情報ＰＩを関連付けて記憶すると、データ識別情報生成手段４
８２は、データ識別情報ＩＤＩ（ＩＤ番号）を生成して記憶した印刷情報ＰＩに割り当て
る（ステップＳ３１３）。
【０１２３】
印刷情報ＰＩにＩＤ番号が割り当てられると、課金情報生成手段４９１は、同ＩＤ番号
に対応する印刷条件情報ＰＣＩに基づいて課金情報ＫＩを生成し、同ＩＤ番号に生成した
課金情報ＫＩを関連付けて記憶手段４３に記憶する（ステップＳ３１４）。これによって
、受信した印刷情報ＰＩに、対応するＩＤ番号、ユーザ情報ＵＩＦ、及び課金情報ＫＩ（
印刷料金）が割り当てられるようになる。
【０１２４】
課金情報ＫＩが記憶されると、問合せ手段４８３は、ＩＤ番号とそのＩＤ番号に関連付
けられる情報（課金情報ＫＩ）とに基づいて問合せ表示情報ＴＤＩを生成し、同ＩＤ番号
に対応するアドレス情報ＡＤＩをユーザ情報ＵＩＦから読み出して問合せ情報ＴＩ（電子
メールデータ）を生成する（ステップ３１５）。次に、問合せ手段４８３は、問合せ情報
ＴＩを生成すると、通信手段４２を介してアドレス情報ＡＤＩ、すなわちユーザの携帯端
末６に問合せ情報ＴＩを送信する（ステップＳ３１６）。
【０１２５】
問合せ手段４８３が問合せ情報ＴＩを送信すると、ユーザの携帯端末６（無線送受信部
６３）が、同問合せ情報ＴＩを受信する（ステップＳ３２１）。無線送受信部６３が問合
せ情報ＴＩを受信すると、制御回路部６４は、表示部６２によって問合せ情報ＴＩを受信
した旨をユーザに通知する。
【０１２６】
問合せ情報ＴＩ（電子メールデータ）を表示部６２に表示する操作が行われると、表示
部６２は、図１６に示すように、問合せ表示情報ＴＤＩに基づいて「印刷料金は×××円
です。」などのメッセージを表示する。さらに、表示部６２は、図１６に示すように、「
お支払い方法の番号を選択してください。１通話料金に合算、２電子マネーを利用」など
のメッセージを表示する。これによって、印刷料金とその課金方法とをユーザに視認させ
ることができ、課金方法の選択を促すようになる。
【０１２７】
次に、表示部６２のメッセージに従って入力操作部６１に設けられる番号ボタン「１」
が押下されると、通話料金課金の選択動作が実行される（ステップＳ３２２）。すなわち
、番号ボタン「１」が押下されると、まず、制御回路部６４は、問合せ情報ＴＩからＩＤ
番号を読み出す。続いて、制御回路部６４は、読み出したＩＤ番号に通話料金課金を示す
課金方法情報ＫＭＩを関連付けて選択情報ＳＩを生成する。そして、制御回路部６４は、
無線送受信部６３を介して問合せ情報ＴＩの送信元、すなわち印刷装置４のアドレスにこ
の選択情報ＳＩを送信する（ステップＳ３２３）。
【０１２８】
一方、表示部６２のメッセージに従って入力操作部６１に設けられる番号ボタン「２」
が押下されると、電子マネー課金の選択動作が実行される（ステップＳ３２２）。すなわ
ち、番号ボタン「２」が押下されると、まず、制御回路部６４は、問合せ情報ＴＩからデ
ータ識別情報ＩＤＩを読み出す。続いて、制御回路部６４は、読み出したデータ識別情報
ＩＤＩに、電子マネー課金を示す課金方法情報ＫＭＩを関連付けて選択情報ＳＩを生成す
る。そして、制御回路部６４は、無線送受信部６３を介して問合せ情報ＴＩの送信元、す
なわち印刷装置４のアドレスにこの選択情報ＳＩを送信する（ステップＳ３２３）。
【０１２９】
携帯端末６から選択情報ＳＩが送信されると、印刷装置４の選択受信手段４８４ａは、
通信手段４２を介して選択情報ＳＩを受信する（ステップ３１７）。選択受信手段４８４
ａは、選択情報ＳＩを受信すると、同選択情報ＳＩから課金方法情報ＫＭＩを読み出し、
選択された課金方法が通話料金課金であるか、あるいは電子マネー課金であるかを判断す
る（ステップＳ３１８）。
【０１３０】
つまり、課金方法情報ＫＭＩが通話料金課金である場合、選択受信手段４８４ａは、同
課金方法情報ＫＭＩに関連付けられるＩＤ番号（データ識別情報ＩＤＩ）の印刷料金を通
話料金によって課金するものと判断する。続いて、選択受信手段４８４ａは、通話料金に
よって課金する旨の判断結果を課金処理手段５００に出力して課金方法の選択動作を終了
する（ステップＳ３１９ａ）。
【０１３１】
一方、課金方法情報ＫＭＩが電子マネー課金である場合、選択受信手段４８４ａは、同
課金方法情報ＫＭＩに関連付けられるＩＤ番号（データ識別情報ＩＤＩ）の印刷料金を電
子マネーによって課金するものと判断する。続いて、選択受信手段４８４ａは、電子マネ
ーによって課金する旨の判断結果を課金処理手段５００に出力して課金方法の選択動作を
終了する（ステップＳ３１９ｂ）。
【０１３２】
なお、携帯端末６は、入力操作部６１に設けられる番号ボタン「１」または「２」が押
下される、すなわち選択情報ＳＩを送信すると、選択した課金方法の案内を表示部６２に
表示して課金方法の選択動作を終了する（ステップＳ３２４）。
【０１３３】
（通話料金課金による印刷動作）
図１４は、印刷装置４と携帯端末６によって行なわれる通話料金課金による印刷動作を
説明するフローチャートを示す。
【０１３４】
今、通話料金課金の選択情報ＳＩ（課金方法情報ＫＭＩ）が送信されると、携帯端末６
の制御回路部６４は、図１７に示すように、通話料金課金の案内を表示部６２に表示する
（ステップＳ４２１）。つまり、表示部６２は、ユーザにデータ識別情報ＩＤＩ（ＩＤ番
号）を通知するとともに、「印刷を実行しますか？１ＹＥＳ、２ＮＯ」などのメッセージ
を表示して印刷の認証を促す。
【０１３５】
また、通話料金課金の選択情報ＳＩ（課金方法情報ＫＭＩ）が送信されると、印刷装置
４の課金処理手段５００は、通話料金によって課金する旨の判断結果を選択受信手段４８
４ａから受けて待機する。
【０１３６】
表示部６２のメッセージに従って入力操作部６１に設けられる番号ボタン「１」が押下
されると、印刷を認証する選択が行われる。すなわち、番号ボタン「１」が押下されると
、まず、制御回路部６４は、問合せ情報ＴＩからデータ識別情報ＩＤＩを読み出す。次に
、制御回路部６４は、読み出したデータ識別情報ＩＤＩに印刷を認証する旨の印刷認証情
報ＰＲＩを関連付けて回答情報ＲＩを生成し、無線送受信部６３を介して問合せ情報ＴＩ
の送信元、すなわち印刷装置４のアドレスにこの回答情報ＲＩを送信する（ステップＳ４
２２）。
【０１３７】
携帯端末６から回答情報ＲＩが送信されると、印刷装置４の回答受信手段４８４は、通
信手段４２を介して回答情報ＲＩを受信する（ステップ４１１）。回答受信手段４８４は
、回答情報ＲＩを受信すると、同回答情報ＲＩから印刷認証情報ＰＲＩを読み出し、印刷
が認証されたか否かを判断する（ステップＳ４１２）。つまり、回答受信手段４８４は、
ユーザが印刷を認証したものと判断して、回答情報ＲＩからデータ識別情報ＩＤＩを読み
出し、同データ識別情報ＩＤＩと、印刷の実行が認証された旨を示す判断結果を課金処理
手段５００及び印刷実行指示手段４８５に出力する（ステップＳ４１２においてＹＥＳ）
。
【０１３８】
一方、番号ボタン「２」が押下されて印刷を認証しない旨の回答情報ＲＩ（印刷認証情
報ＰＲＩ）が送信されると、回答受信手段４８４は、回答情報ＲＩからデータ識別情報Ｉ
ＤＩを読み出す。次に、回答受信手段４８４は、読み出したデータ識別情報ＩＤＩと同デ
ータ識別情報ＩＤＩに関連付けられる情報（ユーザ情報ＵＩＦ、印刷情報ＰＩ及び課金情
報ＫＩ）を記憶手段４３から削除して印刷動作を終了する（ステップＳ４１５）。
【０１３９】
課金処理手段５００（課金情報通知手段４８４）は、データ識別情報ＩＤＩと印刷を認
証する旨の判断結果が入力されると、同データ識別情報ＩＤＩに関連付けられる情報（ユ
ーザ情報ＵＩＦ及び課金情報ＫＩ）を記憶手段４３から読み出して通話料金管理システム
７ａに送信する（ステップＳ４１３）。通話料金管理システム７ａは、印刷装置４からデ
ータ識別情報ＩＤＩに関連付けられる情報（ユーザ情報ＵＩＦ及び課金情報ＫＩ）を受信
し、携帯端末６の通話料金に印刷料金を付加した金額をユーザに請求する。
【０１４０】
印刷実行指示手段４８５は、データ識別情報ＩＤＩと印刷を認証する旨の判断結果が入
力されると、データ識別情報ＩＤＩに関連付けられる印刷情報ＰＩを記憶手段４３から読
み出し、印刷を実行するための制御信号を制御手段４１に出力する。制御手段４１は、印
刷を実行するための制御信号が入力されると、印刷手段４５を駆動制御して同印刷情報Ｐ
Ｉに基づく印刷を実行する（ステップＳ４１４）。次に、制御手段４１は、印刷手段４５
による印刷が終了すると、印刷情報ＰＩと同印刷情報ＰＩに関連付けられる情報（データ
識別情報ＩＤＩ、ユーザ情報ＵＩＦ、及び課金情報ＫＩ）を記憶手段４３から削除し、通
話料金課金による印刷を終了する。
【０１４１】
（電子マネー課金による印刷動作）
図１５は、印刷装置４と携帯端末６によって行われる電子マネー課金による印刷動作を
説明するフローチャートを示す。
【０１４２】
今、電子マネー課金の選択情報ＳＩ（課金方法情報ＫＭＩ）が送信されると、携帯端末
６の制御回路部６４は、図１７に示すように、電子マネー課金の案内を表示部６２に表示
する（ステップＳ５２１）。つまり、表示部６２は、ユーザにデータ識別情報ＩＤＩ（Ｉ
Ｄ番号）を通知するとともに、「ＩＤ番号を入力した後に電子マネーリーダに携帯電話を
かざして下さい。」などのメッセージを表示して印刷実行の認証を促す。
【０１４３】
また、電子マネー課金の選択情報ＳＩ（課金方法情報ＫＭＩ）が送信されると、印刷装
置４の課金処理手段５００は、電子マネーによって課金する旨の判断結果を選択受信手段
４８４ａから受ける。次に、課金処理手段５００は、データ識別情報ＩＤＩ（ＩＤ番号）
に関連付けられる課金情報ＫＩに基づいて減額する電子マネーの情報（減額情報ＧＩ）を
生成する（ステップＳ５１１）。
【０１４４】
表示部６２のメッセージに従って入力手段４４にＩＤ番号（データ識別情報ＩＤＩ）が
入力されると、課金処理手段５００は、ＩＤ番号（データ識別情報ＩＤＩ）に対応する減
額情報ＧＩをリード・ライト手段５０に出力し、同減額情報ＧＩを送信部５０ｂから送信
する。
【０１４５】
続いて、表示部６２のメッセージに従ってリード・ライト手段５０に携帯端末６が近づ
けられると、携帯端末６の非接触ＩＣチップ６５は、減額情報ＧＩを受信する（ステップ
Ｓ５２２）。非接触ＩＣチップ６５が減額情報ＧＩを受信すると、制御回路部６４（リー
ド・ライト回路６４ａ）は、記憶部６５ａに記憶される残高情報ＺＩを読み出し、残高情
報ＺＩが減額情報ＧＩ以上であるか否かを判断する（ステップＳ５２３）。
【０１４６】
残高情報ＺＩが減額情報ＧＩ以上であると（ステップＳ５２３においてＹＥＳ）、制御
回路部６４は、減額情報ＧＩに基づいて読み出した残高情報ＺＩの減額を行い、減額後の
残高を新しい残高情報ＺＩとして非接触ＩＣチップ６５（記憶部６５ａ）に記憶する（ス
テップＳ５２４）。非接触ＩＣチップ６５は、新しい残高情報ＺＩを記憶すると、同残高
情報ＺＩをリード・ライト手段５０に送信する（ステップＳ５２５）。
【０１４７】
非接触ＩＣチップ６５から新しい残高情報ＺＩが送信されると、印刷装置４のリード・
ライト手段５０（受信部５０ａ）は、残高情報ＺＩを受信して制御手段４１に出力する。
制御手段４１は、新しい残高情報ＺＩを受信すると、非接触ＩＣチップ６５内に格納され
る電子マネーの残高を表示手段５１に表示する（ステップ５１５）。これにより、ユーザ
は、携帯端末６に格納される電子マネーの残高を視認することができるようになる。
【０１４８】
表示手段５１が減算後の残高を表示すると、課金処理手段５００は、減額情報ＧＩに関
連付けられる情報（データ識別情報ＩＤＩ及びユーザ情報ＵＩＦ）を記憶手段４３から読
み出す。次に、課金処理手段５００は、読み出したデータ識別情報ＩＤＩ、ユーザ情報Ｕ
ＩＦ及び減額情報ＧＩを電子マネー管理システム７ｂに送信する（ステップＳ５１６）。
電子マネー管理システム７ｂは、減額情報ＧＩによって減算する電子マネーを印刷料金と
して管理し、入金端末装置に予め入金された現金などに基づいて印刷料金の決済を行う。
【０１４９】
課金処理手段５００が減額情報ＧＩなどを電子マネー管理システム７ｂに送信すると、
印刷実行指示手段４８５は、データ識別情報ＩＤＩに対応する印刷情報ＰＩを記憶手段４
３から読み出し、印刷を実行するための制御信号を制御手段４１に出力する。制御手段４
１は、印刷を実行するための制御信号が入力されると、印刷手段４５を駆動制御して同印
刷情報ＰＩに基づく印刷を実行する（ステップＳ５１７）。次に、制御手段４１は、印刷
手段４５による印刷が終了すると、印刷情報ＰＩと同印刷情報ＰＩに関連付けられる情報
（データ識別情報ＩＤＩ、ユーザ情報ＵＩＦ、及び課金情報ＫＩ）を記憶手段４３から削
除し、通話料金課金による印刷を終了する（ステップＳ５１８）。
【０１５０】
一方、残高情報ＺＩが減額情報ＧＩ未満であると、非接触ＩＣチップ６５は、減額が不
可能である旨の情報（減額不能情報）をリード・ライト手段５０に送信する。非接触ＩＣ
チップ６５が減額不能情報を送信すると、印刷装置４の回答受信手段４８４は、リード・
ライト手段５０を介して減額不能情報を受信する。次に、回答受信手段４８４は、減額不
能情報を受信すると、表示手段５１にＩＤ番号（データ識別情報ＩＤＩ）と、同ＩＤ番号
の印刷料金が減額不可能である旨のメッセージを表示させる（ステップＳ５１９）。続い
て、回答受信手段４８４は、同データ識別情報ＩＤＩとそのデータ識別情報ＩＤＩに関連
付けられる情報（ユーザ情報ＵＩＦ、印刷情報ＰＩ、及び課金情報ＫＩ）を記憶手段４３
から削除し、通話料金課金による印刷を終了する（ステップＳ５１８）。
【０１５１】
上記第２実施形態によれば、以下の効果を得ることができる。
・上記第２実施形態では、印刷装置４にリード・ライト手段５０を設けて、印刷装置４
が携帯端末６の非接触ＩＣチップ６５と非接触ＩＣで交信するようにした。そして、制御
回路部６４が、課金処理手段５００の生成する減額情報ＧＩを受信して、記憶部６５ａに
記憶される残高情報ＺＩの減額を実行するようにした。さらに、課金処理手段５００が、
減額情報ＧＩと、同減額情報ＧＩに関連付けられる情報（データ識別情報ＩＤＩ及びユー
ザ情報ＵＩＦ）を電子マネー管理システム７ｂに送信するようにした。
【０１５２】
従って、予め電子マネーの補充された携帯端末６を印刷装置４のリード・ライト手段５
０にかざすだけで、印刷料金の課金を行うことができ、かつ送信した印刷情報ＰＩに基づ
く印刷を行うことができる。これにより、プリンタを所有しないユーザが、安価にかつ利
便性よい印刷サービスを利用することがきる。
【０１５３】
・上記第２実施形態では、課金情報ＫＩを表示可能にする問合せ情報ＴＩを生成し、印
刷料金の表示と課金方法の選択とを同時に表示するようにした。そして、選択した課金方
法の案内を表示して印刷の認証を促すようにした。従って、印刷を認証する前に予め印刷
料金を視認することができ、しかも、印刷料金に応じた課金方法を選択することができ、
ユーザの利便性をより向上することができる。
【０１５４】
・上記第２実施形態では、印刷装置４が、通話料金課金を選択する旨の選択情報ＳＩを
受信し、かつ印刷を認証する旨の回答情報ＲＩを受信するときに限り、印刷を実行するよ
うにした。従って、回答情報ＲＩを送信するまで（番号ボタン「１」を押下するまで）印
刷の実行を待機させることができ、ユーザの都合に合わせたタイミングで印刷を行うこと
ができ、ユーザの利便性をより向上することができる。
【０１５５】
・上記第２実施形態によれば、印刷装置４が、電子マネー課金を選択する旨の選択情報
ＳＩを受信し、かつ非接触ＩＣチップ６５から残高情報ＺＩを受信するときに限り、印刷
を実行するようにした。従って、携帯端末６をリード・ライト手段５０に近づけるまで印
刷の実行を待機させることができ、ユーザの都合に合わせたタイミングで印刷を行うこと
ができ、ユーザの利便性をより向上することができる。
【０１５６】
なお、上記各実施形態は以下のように具体化してもよい。
・上述の端末１、通信装置２、３、５、印刷装置４、携帯端末６、料金システム７、及
び、管理サーバ８は、内部にコンピュータシステムを有している。そして、上述した動作
の過程は、プログラムの形式でコンピュータ読み取り可能な記録媒体に記憶されており、
このプログラムをコンピュータシステムが読み出して実行することによって、上記処理が
行われる。ここでいうコンピュータシステムとは、ＯＳや周辺機器等のハードウェアを含
むものである。
【０１５７】
・「コンピュータ読み取り可能な記録媒体」とは、ＲＯＭの他に、磁気ディスク、光磁
気ディスク、ＣＤ−ＲＯＭ、ＤＶＤ−ＲＯＭ等の可搬媒体、コンピュータシステムに内蔵
されるハードディスク等の記憶装置のことをいう。さらに「コンピュータ読み取り可能な
記録媒体」とは、インターネット等のネットワークや電話回線等の通信回線を介してプロ
グラムが送信された場合のシステムやクライアントとなるコンピュータシステム内部の揮
発性メモリ（ＲＡＭ）のように、一定時間プログラムを保持しているものも含むものとす
る。
【０１５８】
・上記プログラムは、このプログラムを記憶装置等に格納したコンピュータシステムか
ら、伝送媒体を介して、あるいは、伝送媒体中の伝送波により他のコンピュータシステム
に伝送されてもよい。ここで、プログラムを伝送する「伝送媒体」は、インターネット等
のネットワーク（通信網）や電話回線等の通信回線（通信線）のように情報を伝送する機
能を有する媒体のことをいう。
【０１５９】
・上記プログラムは、前述した機能の一部を実現するためのものであっても良い。さら
に、前述した機能をコンピュータシステムにすでに記録されているプログラムとの組み合
わせで実現できるもの、いわゆる差分ファイル（差分プログラム）であっても良い。
【０１６０】
・上記第２実施形態では、通話料金課金及び電子マネー課金を印刷手段４５による印刷
動作によって具体化した。これに限らず、第１実施形態と同じく、通話料金課金及び電子
マネー課金を複写手段４６によるコピーに具体化してもよく、あるいは、読取手段４７に
よる画像データのダウンロードに具体化しても良い。その際、第１実施形態と同じく、複
写手段４６の生成するコピーデータ、あるいは読取手段４７の生成する画像データを印刷
情報ＰＩとして取り扱うのが好ましい。さらには、第１実施形態と同じく、ユーザが入力
手段４４から直接入力するユーザコードなどをユーザ識別情報ＵＩとして利用し、記憶手
段４３には、そのユーザコードがユーザ識別情報ＵＩとして予め記憶されていることが望
ましい。
【０１６１】
・上記第２実施形態では、印刷装置４が制御手段４１、通信手段４２、記憶手段４３及
び処理手段４８を備えて課金方法の選択動作と印刷動作の双方を実行するようにした。こ
れを変更し、制御手段４１、通信手段４２、記憶手段４３及び処理手段４８を備える印刷
サーバを、印刷装置４と通信装置３，５との間に設け、その印刷サーバに各種情報及びデ
ータの転送と課金方法の選択動作とを実行させる構成にしてもよい。
【０１６２】
・上記第２実施形態では、課金方法を選択した後に印刷の認証を行うようにした。これ
に限らず、印刷料金を表示して印刷の認証を行い、その後に課金方法を選択するようにし
ても良い。これによれば、印刷料金に応じて印刷をキャンセルすることができ、課金方法
の選択時間を省くことができる。ひいては、ユーザの利便性をより向上することができる
。
【０１６３】
・上記第２実施形態では、残高情報ＺＩが減額情報ＧＩ未満であると、表示手段５１が
減額不可のメッセージを表示して、制御手段４１が印刷情報ＰＩ、データ識別情報ＩＤＩ
及び課金情報ＫＩを削除するようにした。これを変更し、残高情報ＺＩが減額情報ＧＩ未
満である場合には、制御回路部６４が、通話料金課金を促すメッセージを表示部６２に表
示し、印刷装置４と携帯端末６の双方が通話料金課金による印刷動作に移行するようにし
ても良い。
【０１６４】
・上記第２実施形態では、データ識別情報ＩＤＩをＩＤ番号として具体化したが、これ
に限らず、例えば、ＩＤコードなどであってもよく、印刷データＰＤを一意に識別する情
報であればどのようなものでも良い。また、ユーザ情報ＵＩＦを端末１のＩＰアドレスと
して具体化したが、これに限らず、例えば、ユーザコードであっても良く、印刷情報ＰＩ
と関連付けてユーザを一意に識別するものであればどのようなものでも良い。
【０１６５】
・上記第２実施形態では、記憶素子を非接触ＩＣチップ６５として具体化し、リード・
ライト手段５０が非接触で電子マネーの減額を行うようにした。これに限らず、記憶素子
がリード・ライト手段５０と接触（接続）されることによって電子マネーの減額を行うよ
うにしても良い。
【図面の簡単な説明】
【０１６６】
【図１】第１実施形態の印刷システムの構成を示すブロック図。
【図２】同じく、印刷装置の構成を示すブロック図。
【図３】同じく、印刷要求受信時の印刷装置の動作を示すフローチャート。
【図４】同じく、スキャナ使用時の印刷装置の動作を示すフローチャート。
【図５】第２実施形態の印刷システムの構成を示すブロック図。
【図６】同じく、端末から送信される印刷情報を示す図。
【図７】同じく、記憶手段に格納されるユーザ情報を示す図。
【図８】同じく、印刷装置から送信される問合せ情報を示す図。
【図９】同じく、携帯端末から送信される回答情報を示す図。
【図１０】同じく、携帯端末から送信される選択情報を示す図。
【図１１】同じく、携帯端末の電気的構成を示すブロック図。
【図１２】同じく、印刷装置の電気的構成を示すブロック図。
【図１３】同じく、課金選択方法を示すフローチャート。
【図１４】同じく、通話料金課金を示すフローチャート。
【図１５】同じく、電子マネー課金を示すフローチャート。
【図１６】同じく、携帯端末の表示部を示す図。
【図１７】同じく、携帯端末の表示部を示す図。
【図１８】同じく、携帯端末の表示部を示す図。
【符号の説明】
【０１６７】
１…端末、２，３，５…通信装置、４…印刷装置、６…携帯端末、７…料金システム、８
…管理サーバ、４１…制御手段、４２…通信手段、４３…記憶手段、４４…入力手段、４
５…印刷手段、４６…複写手段、４７…読取手段、４８…処理手段、５０…リード・ライ
ト手段、６５…記憶素子としての非接触ＩＣチップ、４８１…データ受信手段、４８２…
データ識別情報生成手段、４８３…問合せ手段、４８４…回答受信手段、４８５…印刷実
行指示手段、４８６…画像データ出力手段、４９１…課金情報生成手段、４９２…課金情
報通知手段、４９５…障害検出手段、４９６…障害通知手段、４８４ａ…選択受信手段、
５００…課金処理手段、ＩＤＩ…データ識別情報、ＰＩ…印刷情報、ＲＩ…回答情報、Ｓ
Ｉ…選択情報、ＵＩＦ…ユーザ情報。
【図１】
0004765286.tif 000002
【図２】
0004765286.tif 000003
【図３】
0004765286.tif 000004
【図４】
0004765286.tif 000005
【図５】
0004765286.tif 000006
【図６】
0004765286.tif 000007
【図７】
0004765286.tif 000008
【図８】
0004765286.tif 000009
【図９】
0004765286.tif 000010
【図１０】
0004765286.tif 000011
【図１１】
0004765286.tif 000012
【図１２】
0004765286.tif 000013
【図１３】
0004765286.tif 000014
【図１４】
0004765286.tif 000015
【図１５】
0004765286.tif 000016
【図１６】
0004765286.tif 000017
【図１７】
0004765286.tif 000018
【図１８】
0004765286.tif 000019